(57)【要約】【課題】パソコンの作動を停止して、使用しないキーボードを卓上に平置きしたまま放置すると、限られた卓上スペースを有効に活用できないため、平置きしたキーボードが容易に収納できるキーボード保持具の提供。【解決手段】ディスプレイを設置するケースの上部に長板を二本並列に垂設し、ケースに内蔵され、裏面に座を装着した引き出し板の先端を折曲して支持板を形成し、キーボードを長板に立て掛け、支持板で挟むことによりキーボードが斜に固定される構成。【選択図】　図８
2004021967.tif 000002
【特許請求の範囲】
【請求項１】
反発弾性を開閉機構部（１４）に備へ形成した蝶番（１１）をキーボード（４）の縦幅と合致するよう、ＣＲＴディスプレイの上部に二箇所平行に向かい合わせて装着し、開いた蝶番（１１）に合わせキーボード（４）を重置して蝶番（１１）を折曲すれば、二つの蝶番（１１）にキーボード（４）が挟まれ固定することを特徴とするキーボード保持具。
【請求項２】
ディスプレイを設置するケース（２１）の上部に長板（２０）を二本並列に垂設し、ケース（２１）に内蔵され、裏面に座（２３）を装着した引き出し板（２２）の先端を折曲して支持板（２２Ａ）を形成し、キーボード（４）を長板（２０）に立て掛けて支持板（２２Ａ）で挟むことによりキーボード（４）が固定されることを特徴とするキーボード保持具。
【請求項３】
ディスプレイを設置するケース（６）の開口部上端を突出させて挟持板（７Ａ）を形成し、ケース（６）に内蔵した引き出し板（８）の先端に挟持板（７Ｂ）が折曲するよう、反発弾性を備へた開閉機構部（１５）で連結し、キーボード（４）の設置台ともなる引き出し板（８）の裏面と挟持板（７Ｂ）の表面にそれぞれ座（９）と座（１０）を装着し、挟持板（７Ａ）と折曲させた挟持板（７Ｂ）で直立させたキーボード（４）を挟み固定することを特徴とするキーボード保持具。
【請求項４】
プレート（１３）の下部を嵌入するスライド溝（１２）を底板（１７）の中央に形成し、スライド溝（１２）に装着した二枚のプレート（１３）で直立させたキーボード（４）を挟み固定することを特徴とするキーボード保持具。
【請求項５】
ディスプレイを設置する底板（３５）の前部に、スライド溝（３１）と目盛り（３７）を備えた長板（３０）を二本並列に垂設し、フック孔（３３）とスットパー制御ボタン（３４）が備なわるスライド具（３２）を長板（３０）のスライド溝（３１）に嵌合し、キーボード（４）を支点として半回転するフック（３６）の両端をキーボード（４）の両側部に装着し、スットパー（３４）で固定したスライド具（３２）のフック孔（３３）へ、キーボード（４）に装着したフック（３６）を挿入すればキーボード（４）を長板（３０）に掛止でき、且つフック（３６）がキーボードスタンドにもなることを特徴とするキーボード保持具。
【発明の詳細な説明】
【０００１】
【発明の属する技術分野】
本発明は、パソコンのキーボード設置スペースを有効に活用するためのキーボード保持具に関する。
【０００２】
【従来の技術】
従来、パソコンの作動を停止した際のキーボードは、一般的にパソコン本体に接続したディスプレイの前に置かれ、スキャナー、スピーカー、プリンター等のパソコン周辺機器と纏めて卓上に平置きした状態のままである。その他に、使用しないキーボードを片づけ収納する方法としては、キーボードを壁面に立て掛けたり、卓上等の引出しに収納する行為がとられているが、利便性に欠く非効率な方法である。
【０００３】
次に、キーボードを収納する機構が備わるパソコンデスクやパソコンラックが提供されている。前記デスク、ラックは同様の機能が備わり、キーボードを設置する棚板がスライドしてデスク、ラック内に収納される形態である。また、キーボード専用のスタンドもあり、キーボードを斜に設置するタイプや平置きするタイプのスタンドが提供されている。
【０００４】
【発明の解決しようとする課題】
上記した理由の如く、卓上にパソコンの周辺機器を纏めて平置きすることで、卓上のスペースが狭まる。特に、パソコンの使用を停止している際のキーボードは不要であり、卓上の限られたスペースを更に狭くする機器となっている。そのため、卓上で他の事務処理をする際などは窮屈で邪魔になる。
【０００５】
また、キーボードを収納できるパソコンデスクやパソコンラックは、パソコンの使用を停止した際に、キーボードを収納保管するのが目的であり、パソコン使用時の利便性に欠く製品となっているため以下に記載の問題がある。キーボードを設置する棚板は狭く設計されているため、入力する原稿や書類が置けない。キーボード入力と他の業務処理を併用できない。
【０００６】
また、卓上に設置するキーボードスタンドも形成されるサイズにより、キーボード以上の設置スペースが必要とされることがあるため、キーボードを平置きした状態のスペース幅と大差がない。以上のように、限られた卓上スペースを有効に活用するには、使用しないキーボードを片づけ収納できることが望ましい。
【０００７】
【課題を解決するための手段】
本発明においては、キーボードの収納が容易にできる保持具を提供しようとするものである。
【０００８】
請求項１に記載の発明は、反発弾性が開閉機構部１４に備わる蝶番１１をキーボード４の縦幅と合致するよう、ＣＲＴディスプレイの上部に二箇所平行に向かい合わせて装着する。前記蝶番１１は片面のみ装着され開閉機構部１４を支点としてもう片面の蝶番１１が折曲する。折曲した状態の蝶番１を開閉機構部１４の反発弾性が保持する構造となっている。そして、開いた蝶番１１に合わせてキーボード４を重置し蝶番１１を折曲すれば、二つの蝶番１１にキーボード４が固定されＣＲＴディスプレイの上部にキーボード４を設置できる。
【０００９】
請求項２に記載の発明は、ＣＲＴディスプレイが設置できるサイズに形成したケース２１の上部に、長板２０を二本並列に垂設し、ケース２１に内蔵された引き出し板２２の先端を折曲して支持板２２Ａを形成し、キーボード４を長板２０に立て掛けて支持板２２Ａで挟むことでキーボード４が斜に固定される。引き出し板２２の裏面には座２３を装着して、引き出し板２２を水平に保持している。
【００１０】
請求項３に記載の発明は、ＣＲＴディスプレイが設置できるサイズに形成したケース６の開口部上端を突出させて挟持板７Ａを形成した。ケース６に内蔵した引き出し板８の先端と挟持板７Ｂの後端を開閉機構部１５で連結し、開閉機構部１５の反発弾性が折曲した状態の挟持板７Ｂを保持する構造となっている。そして、挟持板７Ａと挟持板７Ｂで直立させた状態のキーボード４を挟めば固定できる。また、キーボード４の設置台ともなる、開閉機構部１５で連結した引き出し板８と挟持板７Ｂが歪むのを防止するため、引き出し板８の裏面に座９を装着し、挟持板７Ｂの表面に座１０を装着して支持している。
【００１１】
請求項４に記載の発明は、プレート１３の下部を嵌入する、スライド溝１２を底板１７の中央に形成し、スライド溝１２に二枚のプレート１３を装着した構造であり、二枚のプレート１３間の幅を広げたり、狭めたりして調節することにより、あらゆる機種のキーボード４を直立させ挟み固定することができる。
【００１２】
請求項５に記載の発明は、ＣＲＴディスプレイが設置できるサイズに形成した底板３５の前部に、スライド溝３１と目盛り３７を備えた長板３０を二本並列に垂設し、フック孔３３とスットパー３４が備なわるスライド具３２を長板３０のスライド溝３１に嵌合し、キーボード４を支点として半回転するフック３６の両端をキーボード４の両側部に装着した構造であり、長板３０の目盛り３７に合わせ固定したスライド具３２に備わるフック孔３３へ、キーボード４に装着したフック３６を挿入すればキーボード４を長板３０に掛止できる。また、フック３６をキーボード４の下部に回転させることでキーボード４に傾斜を備えるスタンドにもなる。
【００１３】
【発明の実施の形態】
発明の実施の形態を実施例にもとづき図面を参照して説明する。
図１に示すように、キーボード保持具の蝶番１１の中心には、開閉機構部１４が形成されており、開閉機構部１４を支点として、点線で示した蝶番１１の片面が矢印方向に立ち上がり折曲する機構である。開閉機構部１４には反発弾性が備わるため押しつける力が強く、蝶番１１の折曲角度を、直角から直角以上すればキーボード４を確り固定する蝶番１１が形成できる。蝶番１１を形成する材質としては、軽量な合成樹脂が望ましく、蝶番１１をデザイン形状にしたり、柄、模様にすることでファッション性も加味できる状態になる。
【００１４】
図２に示すように、蝶番１１を平行に向き合う状態でＣＲＴディスプレイの上部に二箇所装着した。開いた蝶番１１の装着面は片面のＡだけであり、開閉機構部１４を挟んでもう片面の蝶番１１が折曲する。蝶番１１の装着方法としては、ネジ、接着、面ファスナー、両面テープ等で止めることが考えられる。しかし、ネジを使用する際には蝶番１１にネジ穴を設ける必要がある。
【００１５】
図３、図４に示すように、キーボード保持具の蝶番１１は、ＣＲＴディスプレイ専用に使用するための発明であり、二つの蝶番１１が確りキーボード４を挟み固定する。開閉機構部１４に備わる反発弾性は、蝶番１１が折曲する方向に常時作用しているため、蝶番１１が自然に開くことはない。しかし、更なる安全性を追求するのであれば、キーボード４と接触する蝶番１１の内側面に、溝加工、凹凸加工、合成ゴム等を備へ滑り止めを施すことも可能である。また、蝶番１１とキーボード４が接触する際に擦れるのを防止する目的で、ウレタンスポンジ、軟質合成樹脂シート等のクッション材を蝶番１１の内側面に備えることも可能である。
【００１６】
図５、図６に示すように、キーボード保持具は、引き出し板２２が内蔵されるケース２１の上部に長板２０を二本並列に垂設し、引き出し板２２の先端を折曲して支持板２２Ａに傾斜を備えた構造である。ケース２１の先端、後端のバランスを水平に安定させるため、ケース２１の後端には引き出し板２２を収納する空洞を形成してない。先端に支持板２２Ａを形成した引き出し板２２の後端は上部に突出しており、ケース２１内の突出部と接触するフックとなっているため、内蔵された引き出し板２２がケース２１内から引き抜けることはない。ケース２１から引き出した引き出し板２２を水平に保持させるため、引き出し板２２の裏面には合成ゴムで形成した座２３を装着している。座２３は滑り止めの役割も果たす。また、図示していないがケース２１の裏面に滑り止めを装着してある。
【００１７】
図７、図８に示すように、液晶ディスプレイをケース２１に設置しているが、ケース２１の上部はＣＲＴディスプレイも容易に設置できるサイズである。キーボード４を引き出し板２２の支持板２２Ａに沿わせ、ケース２１の長板２０に立て掛けるのみでキーボード４が斜に固定される構造である。キーボード４を立て掛け固定した際に、キーボード４と接触する引き出し板２２、支持板２２Ａ、長板２０の接触面に合成ゴム、ウレタンスポンジ等を装着し、滑り止め加工やクッション材を備えることもできる。また、長板２０をデザイン形状にしたり、長板３の代用としてポールを使用する方法もある。
【００１８】
図９、図１０に示すように、キーボード保持具のケース６の開口部上端を突出させて挟持板７Ａを形成し、ケース６に内蔵した引き出し板８の先端と挟持板７Ｂの後端を開閉機構部１５で連結して、引き出し板８の裏面に座９を装着し、挟持板７Ｂの表面に座１０を装着した構造である。図示していないがケース６の裏面に滑り止めを装着してある。
【００１９】
ケース６に内蔵した引き出し板８の後端は上部に突出しており、ケース６内の突出部と接触するフックとなっているため、引き出し板８がケース６内から引き抜けることがない。引き出し板８と挟持板７Ｂを連結する開閉機構部１５には反発弾性が備わるため、開閉機構部１５を支点として折曲した挟持板７Ｂに強く押しつける力を作用させ、ケース６の挟持板７Ａと挟持板７Ｂで確りキーボード４を挟める構造である。
【００２０】
図１１に示すように、ケース６は、液晶ディスプレイをはじめＣＲＴディスプレイが容易に設置できるサイズであり、ケース６内から引き出した引き出し板８と挟持板７Ｂがキーボード４の設置台となる構成である。折曲した状態の挟持板７Ｂを矢印方向に押し下げ、点線で示した状態に開くことで平坦になり、使い勝手のよい位置でキーボード操作ができる状態になる。引き出し板８の裏面に装着した座９は、合成ゴムで形成され滑り止めの機能も果たす。
【００２１】
図１２に示すように、挟持板７Ａと挟持板７Ｂで直立させたキーボード４を挟み固定した状態である。キーボード４が接触する挟持板７Ａの裏面と挟持板７Ｂの表面に、合成ゴム、ウレタンスポンジ等を装着し、滑り止め加工やクッション材を備えることもできる。
【００２２】
図１３に示すように、キーボード保持具の二枚のプレート１３をスライドさせ広げた状態であり、スライド溝１２を形成した底板１７の裏面には、図示していないが滑り止めを装着してある。プレート１３の形状を他のデザインに変更することも可能である。
【００２３】
図１４、図１５に示すように、直立させたキーボード４を二枚のプレート１３が確り挟み固定する。キーボード４と接触する二枚のプレート１３の内側面と縁に合成ゴムやウレタンスポンジ等を装着して滑り止め加工やクッション材を備えることもできる。
【００２４】
図１６、図１７に示すように、キーボード保持具は、底板３５に二本並列に垂設した長板３０の両側面に形成したスライド溝３１に、正面にフック孔３３と右側面にスットパー制御ボタン３４が備なわるスライド具３２を嵌合し、キーボード４を支点として半回転するフック３６の両端をキーボード４の両側部に装着した構造である。図示していないが長板３０にロック機構で固定されたスライド具３２は、スットパー制御ボタン３４を押すことでロック機構が解除され、長板３０に沿って上下にスライドさせることが可能となる。長板３０の正面には目盛り３７が備わるため、二つのスライド具３２を左右対称の位置で固定できる。適宜な高さに調整したスライド具３２のフック孔３３へ、キーボード４に装着したフック３６を挿入すればキーボード４を長板３０に掛止できる。また、図示していないが底板３５の裏面に滑り止めを装着してある。
【００２５】
図１８に示すように、キーボード４の先端を囲む状態に装着したフック３６を下部に回転させキーボード４のスタンドにしている。キーボード４が傾斜した状態を保持することで、キーボードの入力業務が楽にできる。フック３６の滑りを防止させるため、合成ゴム等の滑り止め具をフック３６に装着することもできる。キーボード４に装着したフック３６の調整角度をロックするスットパー機構は、図示していないがキーボード４に内蔵される。その他に、フック３６の調整角度をロック、解除をするスットパー機構を多種方法でキーボード４およびフック３６に備えることも可能である。また、フック３６は、キーボード４と一体に形成する内蔵型、キーボード４に取付ける外付け型などができ、フック３６が備わるキーボードカバーのみを提供する方法もある。
【００２６】
図１９に示すように、スライド具３２のフック孔３３へ、キーボード４に装着したフック３６を挿入し、キーボード４を長板３０に掛止した状態である。フック３６の形状とフック孔３３が確り嵌合するよう形成している。
【００２７】
【発明の効果】
使用しないキーボードを片づけ収納できることにより、卓上の限られたスペースを有効に活用できる。
【００２８】
パソコンを作動させる際に、収納したキーボードを素早く取り出し入力業務ができる。
【００２９】
パソコン周辺機器と纏めてコンパクトにキーボードを収納できる。
【００３０】
狭いスペースでも有効にキーボードが収納できる。
【図面の簡単な説明】
【図１】請求項１に記載のキーボード保持具の斜視図である。
【図２】請求項１に記載のキーボード保持具をＣＲＴディスプレイの上部に設置した状態の平面図である。
【図３】請求項１に記載のキーボード保持具の使用状態を示した平面図である。
【図４】請求項１に記載のキーボード保持具の使用状態を示した側面図である。
【図５】請求項２に記載のキーボード保持具の斜視図である。
【図６】請求項２に記載のキーボード保持具の縦断面図である。
【図７】請求項２に記載のキーボード保持具の使用状態を示した斜視図である。
【図８】請求項２に記載のキーボード保持具の使用状態を示した側面図である。
【図９】請求項３に記載のキーボード保持具の斜視図である。
【図１０】請求項３に記載のキーボード保持具の縦断面図である。
【図１１】請求項３に記載のキーボード保持具の使用状態を示した斜視図である。
【図１２】請求項３に記載のキーボード保持具の使用状態を示した側面図である。
【図１３】請求項４に記載のキーボード保持具の斜視図である。
【図１４】請求項４に記載のキーボード保持具の使用状態を示した正面図である。
【図１５】請求項４に記載のキーボード保持具の使用状態を示した側面図である。
【図１６】請求項５に記載のキーボード保持具の斜視図である。
【図１７】請求項５に記載のキーボード保持具のキーボードを示した平面図である。
【図１８】請求項５に記載のキーボード保持具のキーボードを示した斜視図である。
【図１９】請求項５に記載のキーボード保持具の使用状態を示した斜視図である。
【符号の説明】
４　キーボード
６、２１　ケース
７Ａ、７Ｂ　挟持板
８、２２　引き出し板
９、１０、２３　座
１１　蝶番
１２　３１　スライド溝
１３　プレート
１４、１５　開閉機構部
１７、３５　底板
２０、３０　長板
２２Ａ　支持板
３３　フック孔
３４　ストッパー制御ボタン
３５　スライド具
３６　フック
３７　目盛り
【図１】
2004021967.tif 000003
【図２】
2004021967.tif 000004
【図３】
2004021967.tif 000005
【図４】
2004021967.tif 000006
【図５】
2004021967.tif 000007
【図６】
2004021967.tif 000008
【図７】
2004021967.tif 000009
【図８】
2004021967.tif 000010
【図９】
2004021967.tif 000011
【図１０】
2004021967.tif 000012
【図１１】
2004021967.tif 000013
【図１２】
2004021967.tif 000014
【図１３】
2004021967.tif 000015
【図１４】
2004021967.tif 000016
【図１５】
2004021967.tif 000017
【図１６】
2004021967.tif 000018
【図１７】
2004021967.tif 000019
【図１８】
2004021967.tif 000020
【図１９】
2004021967.tif 000021